(57)【要約】  本発明は香料の分野に関する。より特定には、揮発性有効成分の効果的且つ延長された蒸発を可能にするゲル系に関する。本発明のゲル系は、有効な揮発分、およびカラギナンと、ジブチルラウロイルグルタミドおよび／またはジブチルエチルヘキサノイルグルタミドとで形成されるゲル化剤、およびポリオールを含む。【特許請求の範囲】
【請求項１】
揮発性有効成分を拡散するためのゲルであって、
ａ）  前記揮発性有効成分を含有するオイル
ｂ）  カラギナンゲル化成分と、ジブチルラウロイルグルタミドおよび／またはジブチルエチルヘキサノイルグルタミドとで形成されるゲル化剤、および
ｃ）  ポリオール可塑剤
を含む、前記ゲル。
【請求項２】
請求項１に定義されたａ）〜ｃ）の成分からなる、請求項１に記載のゲル。
【請求項３】
ゲルの総質量に対してカラギナンを０．５〜２．５質量％の量で含む、請求項１に記載のゲル。
【請求項４】
ジブチルラウロイルグルタミドとジブチルエチルヘキサノイルグルタミドとが、総計で、ゲルの総質量に対して０．００５〜１質量％の量で存在する、請求項１に記載のゲル。
【請求項５】
それぞれジブチルラウロイルグルタミドおよび／またはジブチルエチルヘキサノイルグルタミドが、ゲルの総質量に対して０．００２５〜０．２質量％の量で存在する、請求項４に記載のゲル。
【請求項６】
カラギナン材料がκカラギナン、ιカラギナンおよびそれらの混合物からなる群から選択される、請求項１に記載のゲル。
【請求項７】
ポリオール可塑剤がポリエチレングリコールである、請求項１に記載のゲル。
【請求項８】
可塑剤が、ポリエチレングリコール１０００である、請求項７に記載のゲル。
【請求項９】
有効な揮発分が、芳香剤または悪臭中和剤である、請求項１に記載のゲル。
【請求項１０】
空気清浄剤の形態である、請求項１に記載のゲル。
【請求項１１】
請求項１に記載のゲルの製造方法であって、以下の段階：
ａ）  適切な量のカラギナン粉末を温度６０℃〜７０℃で、温水中で溶解し、且つ、カラギナンゲル化成分が形成されるまで撹拌することによってカラギナンゲル相を調製する段階、
ｂ）  ジブチルラウロイルグルタミドおよび／またはジブチルエチルヘキサノイルグルタミドを、温度６０℃〜７０℃で可塑剤と予め混合し、撹拌しながら均質な混合物を形成する段階、
ｃ）  前記カラギナンゲル化成分および段階ｂ）において得られた均質な混合物を、その後、６０℃を下回らない温度で混合して、ゲル液を形成し、それを室温または周囲温度に冷却して、固体のゲルを得る段階
を含む前記方法。
【請求項１２】
段階ｃ）を、温度６０〜８０℃で実施する、請求項１に記載の方法。
【請求項１３】
さらに、段階ｃ）において調製されたゲル液を適した容器内に注ぎ、その後、冷却することを含む、請求項１１に記載の方法。
【請求項１４】
揮発性有効成分を周囲空気中に拡散するための方法であって、請求項１に記載のゲルを、空気に曝露することを含む前記方法。
【請求項１５】
閉じられた空間内でゲルを空気に曝露する、請求項１４に記載の方法。
【発明の詳細な説明】
【技術分野】
【０００１】
本発明は香料の分野に関する。より特定には、そこに含有された揮発性有効成分の効果的且つ延長された蒸発を可能にするゲル系（ｇｅｌ  ｄｅｖｉｃｅ）に関する。本発明のゲル系は、有効な揮発分、および本質的にカラギナンから形成され、さらにジブチルラウロイルグルタミドおよび／またはジブチルエチルヘキサノイルグルタミドを含むゲル化剤、共にポリオールを含む。
【０００２】
先行技術
揮発性化合物、例えば芳香剤、消毒剤、虫の忌避剤、およびその種のものを拡散するための様々な系の使用は、近年、どんどん流行してきている。空気清浄剤系または脱臭剤は、現在、実際にあらゆる世帯において、悪臭を遮断するか、または芳香剤または他の揮発性有効成分を、該系を取り囲む空気へと拡散するために、特に室内および食器棚、ゴミ箱、および他の閉じられた環境において使用されている。
【０００３】
芳香剤および他の空気改質物質、例えば清浄剤または消毒剤を拡散するために使用できる様々な種類の系の中でも、揮発性有効成分を拡散することができる１つの類の系は、有効成分で含浸された固体材料または担体からなる固体状態の系である。かかる系は、成分を吸収でき且つ次にそれを多かれ少なかれ制御して放出できる様々な材料で製造できる。かかる公知の材料の例は、ゲル、例えば寒天またはステアリン酸ナトリウムゲル、合成ポリマー樹脂、または鉱物材料の塊、例えば石膏またはシリカを含む。
【０００４】
本発明は、有効な成分を吸収できる材料で形成された系、より特定には、いわゆる超吸収性ポリマー、例えばデンプンに基づく系、化学変性セルロースおよび天然ゴムから選択される吸収材料で形成されたゲル系に関する。それらは、典型的には、２つの分類：非イオン性ポリマーとイオン性ポリマーとに分けることができるヒドロゲルである。イオン性ポリマーには、天然由来の多糖類、例えばカラギナン、カルボキシルメチルセルロースナトリウム、アルギン酸ナトリウム、ペクチン、キサンタンおよびグアーガム（それらの全ては本発明の文脈において考慮される）に基づく、親水コロイドの多糖類がある。
【０００５】
本発明は、より特定には、改善されたカラギナンタイプのゲルに関する。カラギナンゲルは、揮発性物質の拡散のために一般的に使用されているが、揮発性の有効物質の拡散に関するそれらの性能は、それらの緊密なマトリックスの結果、常に理想的であるわけではない。かかるゲルは伝統的に、特定の量の親水性成分、即ち、水を含み、それが有効な揮発成分の蒸発助剤として作用する。しかしながら、水を用いると、湿分の放出が非常に速く生じ、且つ、この従来のゲルの外層は、非常に速く乾燥する傾向があり、揮発分の蒸発に対する閉塞性のバリアを形成する。その結果、揮発分はゲルのコア内部に閉じ込められ、且つ、空気への曝露後しばらくの時間の後、それらの放出が妨げられ、それは製品の嗅覚性能が非常に乏しくなることにつながる。
【０００６】
従って、改善された特性、特に揮発性の有効物質、即ち芳香剤が、カラギナンゲルのマトリックスからより線形的に放出される、カラギナンに基づくゲルを提供することがまだ求められている。ゲルの、規則的且つ延長された有効性を確実にするために、ゲル外への揮発分の浸出またはシネレシスを制限することも有利である。
【０００７】
本発明は、芳香の持続性および影響において著しく改善されたカラギナンに基づくゲルを提供することによって、上記の問題に対する新規の解決策をもたらす。
【０００８】
発明の詳細な説明
本発明は、揮発性の有効成分を中に封入でき、且つ空気に曝された際にゲルから前記揮発性成分が拡散することを可能にするゲルに関する。
【０００９】
本発明は、有効な揮発性物質を周囲空気中に、特に閉じられた空間における空気中に拡散するための方法であって、有効な揮発性物質を拡散することを可能にする条件下で、上記のようなゲルを周囲空気に曝露することを含む方法にも関する。
【００１０】
我々は、本発明による拡散系が、非常に均一且つ延長された、有効成分の拡散を提供することを見出した。
【００１１】
本発明によるゲルは、揮発性有効成分を拡散することが意図されており、且つ、
ａ）  前記揮発性有効成分を含有するオイル
ｂ）  カラギナンゲル化成分と、ジブチルラウロイルグルタミドおよび／またはジブチルエチルヘキサノイルグルタミドとで形成されるゲル化剤、および
ｃ）  ポリオール可塑剤
を含む。
【００１２】
本発明のゲルの特定の実施態様に従い、ゲルは、上記で定義される成分ａ）〜ｃ）からなり、それは本質的にこれら３つの成分で形成され、且つ、最小限の量の他の成分のみを含有し、ゲル中でのその総濃度は、ゲルの総質量に対して約２質量％を上回らないことを意味する。
【００１３】
全てのゲル中での有効成分として、例えば芳香剤を使用できる。他の適した有効成分は、脱臭剤または消毒剤、または虫忌避剤、またはそれらが拡散される空気の品質に知覚可能且つ望ましい利益を付与することができるさらに他の任意の揮発性材料を含む。特に、悪い臭いを中和または遮断できる揮発性成分、即ち悪臭を中和する成分を使用することも有利である。
【００１４】
本発明の全ての実施態様において、有効成分吸収材料は、本質的にカラギナンゲルで形成される。それは好ましくは最終的なゲル中に、ゲルの総質量に対して０．５〜２．５質量％の量で存在する。カラギナン材料として、任意の市販のカラギナン、例えばＧｅｌｃａｒｉｎ（登録商標）  ＡＦ７８１０の商品名でＦＭＣ  Ｂｉｏｐｏｌｙｍｅｒから販売されている物質を使用できる。それは、一般に公知の手段で、水または他の適切な親水性媒体と混合されてゲルを形成できる粉末材料である。
【００１５】
本発明によれば、カラギナン材料がκカラギナン、ιカラギナン、およびそれらの混合物からなる群から選択された場合に最良の結果が得られた。
【００１６】
本発明のゲル中での追加的なゲル化剤として、アミノ酸ジブチルラウロイルグルタミド、ジブチルエチルヘキサノイルグルタミドまたはそれらの混合物が使用される。本発明の好ましい実施態様はその２つの混合物を含有する。
【００１７】
ジブチルラウロイルグルタミドおよびジブチルエチルヘキサノイルグルタミドは両方とも市販されている。例えば、ジブチルラウロイルグルタミドは、商標名ＧＰ−１として味の素株式会社（東京、日本）から入手できる。ジブチルエチルヘキサノイルグルタミドは、商標名ＥＢ−２１として同じ会社から入手できる。
【００１８】
本発明のゲル中に存在するジブチルラウロイルグルタミドおよびジブチルエチルヘキサノイルグルタミドの総量は、ゲルの総質量に対して好ましくは０．００５〜１．０質量％、さらにより好ましくは０．０１〜０．２％質量％である。
【００１９】
ジブチルラウロイルグルタミドおよびジブチルエチルヘキサノイルグルタミドは、好ましくは各々０．００２５〜０．２質量％にわたる濃度で存在し、前記のパーセンテージはゲルの総質量に対して定義されている。
【００２０】
他のアミノ酸／タンパク質、特に水溶性の変型物の使用も、ゲルの物理的特性、例えば引張強度に良い影響を及ぼすことができ、且つ、その結果、一般にカラギナンに基づくヒドロゲルと関連するシネレシスが減少し、従って芳香性能に良い影響を及ぼす。
【００２１】
本発明のゲルの任意の実施態様における可塑剤として、ポリオールが使用される。適したポリオールは、ポリエチレングリコール、ポリプロピレングリコール、トリメチロールプロパン、グリセリン、ソルビトール、並びにそれらの任意の適切な混合物を含む。好ましくは、可塑剤は、ポリエチレングリコールまたはポリエチレングリコールの混合物である。前記のものとして、様々な分子量の市販の材料を使用できる。例えば、市販品、例えばポリエチレングリコール１０００（Ｃａｒｂｏｗａｘ（登録商標）として公知、Ｄｏｗ  Ｃｈｅｍｉｃａｌ製）は、本発明の目的に完璧に適している。他のより低い分子量の製品、例えばＰＥＧ３００、ＰＥＧ４００またはＰＥＧ６００  （全てＤｏｗ  Ｃｈｅｍｉｃａｌから市販されている）も、本発明によるゲルと良好な物理的適合性を示した。本発明によるゲルが芳香剤の拡散のために使用される場合、分子量が１０００ｇ／ｍｏｌを上回らないポリエチレングリコールまたはポリエチレングリコールの混合物を使用して、拡散される芳香剤の嗅覚的品質に悪影響を及ぼすことを回避することが好ましい。ポリエチレングリコール１０００は、本発明による最も有利なゲルを提供することが立証されている。
【００２２】
可塑剤成分は、ゲルの総質量に対して０．５〜３０質量％の濃度でゲル中に存在する。より好ましい量は、ゲルの質量に対して４質量％から１５質量％まで、さらには、６質量％から１２質量％まで変化し、１０質量％付近の濃度が、後に示される実施例において説明されるような優れた結果をもたらす。
【００２３】
本発明のゲル中の第三の成分は、「揮発性有効成分」であり、それは本願においては個々の成分並びに揮発性有効成分の混合物を意味する。
【００２４】
揮発性有効成分は好ましくは芳香剤、または悪臭中和剤から選択されるが、しかし、殺菌剤、殺虫剤、虫もしくは動物の忌避剤もしくは誘引剤であってもよい。典型的には、かかる成分の混合物も使用できる。
【００２５】
「芳香剤」として、任意の芳香成分またはそれらの混合物を使用できる。「芳香成分」とは、本願においては、香料産業において現在使用されている化合物、即ち、快い作用をその周囲に付与するための芳香組成物または着香製品中で有効成分として使用される化合物を意味する。換言すれば、芳香成分であるとみなされる成分または混合物は、香料産業の分野の当業者によって、単に匂いを有するだけでなく、好ましくは良い方向にまたは快いように、組成物または製品の匂いを付与または修正できるものとして認識されなければならない。さらには、この定義は、臭気を有している必要はないが、しかし芳香組成物、または着香製品の臭いを変調し、結果としてかかる組成物、または製品の臭いの、ユーザーによる感知を修正できる化合物を含むことも意味する。
【００２６】
芳香成分の性質および種類は、ここでより詳細な説明を行わず、それはいずれにせよ網羅できず、当業者はその一般的な知識、意図される使用または用途および所望の官能効果に基づき、それらを選択できる。概して、これらの芳香成分は、アルコール、アルデヒド、ケトン、エステル、エーテル、アセテート、ニトリル、テルペン、炭化水素、窒素含有または硫黄含有複素環式化合物および精油にわたる化学種に属する。前記の芳香成分は、天然または合成由来のものであってよい。それらの成分の多くはいずれにせよ、参考文献、例えばＳ．Ａｒｃｔａｎｄｅｒによる本、Ｐｅｒｆｕｍｅ  ａｎｄ  Ｆｌａｖｏｒ  Ｃｈｅｍｉｃａｌｓ、１９６９、Ｍｏｎｔｃｌａｉｒ、ニュージャージー、米国、またはそのより最近の版、または同様の種類の著作、並びに香料分野における豊富な特許文献に列記されている。前記の成分は、様々な種類の芳香化合物を制御して放出することが知られている化合物であってもよいとも理解される。
【００２７】
用語「悪臭中和剤」または「悪臭中和成分」は、本願においては、悪臭、即ち、人間の鼻に対して不快または攻撃的である臭気の感知を、悪臭を中和および／またはマスキングすることによって低減できる化合物を意味する。特定の実施態様において、これらの化合物は、悪臭を引き起こすことが知られているかまたは疑われている、キーとなる化合物と反応する能力を有する。該反応は、悪臭材料が空気によって運ばれる水準の低減をもたらし、その結果、悪臭の感知の低減をもたらす。
【００２８】
好ましくは、有効な揮発分は、芳香剤または悪臭中和剤である。その際、本発明のゲル系は、好ましくは空気清浄剤である。
【００２９】
典型的には、芳香剤は香料産業において現在使用されている担体、例えば溶剤を含有してもよい。当業者は、本発明によるゲルの特性に悪影響を及ぼさないように、そのような現在の芳香剤添加剤の量および性質を選択し、且つ、その量を調節することができる。芳香剤成分または成分の混合物は、香料産業において現在使用されているカプセル化担体中に封入された、カプセル化された形態で移送されてもよい。芳香剤のマイクロカプセルは、特に壊れやすい芳香成分を保護するか、または特定の芳香剤成分の放出を遅らせてゆっくりとした放出の影響を創出するために有利であることがある。同じことが、いわゆるプロフレグランス（ｐｒｏ−ｆｒａｇｒａｎｃｅ）（即ち、高分子量の化学物質、一般にそれ自体は臭気物質ではないが、使用条件下で化学反応または光化学反応によって臭気を生成し得る）を、本発明に従って使用する場合に当てはまる。
【００３０】
有効な揮発分は、任意の適した溶剤中に溶解されていてよい。
【００３１】
揮発性有効成分は、虫忌避剤を含有することもできる。適した虫忌避剤の限定されない例は、シトロネラ、ジメチルフタレートおよびｎ，ｎ−ジメチル−ｍ−トルアミド（ｔｏｌｕｍｉｄｅ）を含むが、本発明によれば、任意の他の虫忌避剤も使用できる。
【００３２】
本発明の全ての実施態様において、揮発性有効成分または成分の混合物の量は、ゲルの総質量に対して０．５〜２．０質量％、およびより好ましくは１．０〜２．０質量％の揮発性有効成分であるべきである。
【００３３】
本発明のゲルは、強化された、または追加的な外見的および／または機能的改善をゲルにもたらすために、１つまたはそれより多くの追加的な成分も随意に含むこともできる。特に、ゲル系に含まれ得る追加的な材料は、抗菌剤、着色剤、装飾材料、安定剤、酸化防止剤、およびＵＶ遮断剤を含む。他の任意ではあるが有用な成分は、揮発性有効成分がゲル中にもはや存在しなくなった（芳香剤が使い果たされ、もはや拡散しない）時を消費者が判断することを助ける指示薬、即ち、終点指示剤である。
【００３４】
一般に、上記のとおり、本発明のゲル中でのかかる随意の成分の総量は、ゲルの総質量に対して２質量％を上回るべきではない。
【００３５】
それらの随意の成分は、ここでより詳細な説明を行わず、それはいずれにせよ網羅できない。当業者は、当該技術分野における一般的な知見およびゲル系の所望の特性に基づき、それらを選択できる。特に、追加的な成分の種類および量は、ゲルの硬さおよび他の所望の特性が影響されないことを確実にするように選択される。
【００３６】
他の態様において、本発明は、揮発性有効成分を拡散させるためのゲルの製造方法であって、カラギナンとジブチルラウロイルグルタミドおよび／またはジブチルエチルヘキサノイルグルタミドとで形成されるゲル化剤および先に定義された可塑剤を使用する前記方法を提供する。それらの成分を適切な割合で且つ適切な温度で単に混合し、且つ、ゲルが完全に均質になるまで該混合物を混練することによって、ゲルを製造できる。
【００３７】
この製造方法の好ましい実施態様において、該方法は以下の段階：
ａ）  適切な量のカラギナン粉末を温水中で、温度６０℃〜７０℃で溶解し、且つ、カラギナンゲル化成分が形成されるまで撹拌することによってカラギナンゲル相を調製する段階、
ｂ）  ジブチルラウロイルグルタミドおよび／またはジブチルエチルヘキサノイルグルタミドを、温度６０℃〜７０℃で可塑剤と予め混合し、撹拌しながら均質な混合物を形成する段階、
ｃ）  前記カラギナンゲル化成分および段階ｂ）において得られた均質な混合物を、その後、６０℃を下回らない温度で混合して、ゲル液を形成し、それを室温または周囲温度に冷却して、固体のゲルを形成する段階
を含む。
【００３８】
好ましくは、段階ｃ）が行われる温度は６０〜７０℃である。
【００３９】
カラギナン粉末の水に対する典型的な濃度は、それぞれ５：９５〜１：９９であるが、当業者はこれら２つの成分の相対比をカラギナンゲルプレミックスの所望の特性に従って調節することができる。
【００４０】
この方法の好ましい実施態様によれば、段階ｃ）において得られたゲル液を型または適した容器内に注ぎ、その後、室温（典型的には１５〜２５℃）へと冷却する。かかる実施態様は、特定の形態を有する固体のゲルを得ること、および装飾的な空気清浄剤および他のゲル系を実現することを可能にする。当然、該ゲルを上記で得られたままで、型または容器を用いないで使用することもできる。
【００４１】
揮発性有効成分、好ましくは芳香剤または悪臭中和剤を、ゲルの調製の複数の段階で添加することができる。例えば、それを段階ａ）のカラギナンゲルミックス中に分散させ、その後、後者を、段階ｂ）において得られたアミノ酸ゲル化剤と可塑剤との混合物と混合できる。選択的に、芳香剤の一部をカラギナンゲルミックスに添加し、且つ、その残りを段階ｂ）において調製された混合物に添加し、その後、その２つを段階ｃ）において記載されるように混合する。
【００４２】
本発明のゲル系に添加できる全ての任意の成分は、典型的には油性の揮発性有効成分と一緒に添加される。
【００４３】
本発明によるゲルの全ての実施態様は、上記の方法に従って調製でき、その際、この明細書の先述の箇所において定義されたとおりの好ましい成分およびその相対的な割合を使用することにより、有利な特性を有する様々なゲルを得ることが可能になる。
【００４４】
形成されたゲルは、一般に、硬いゲル構造を特徴とし、且つ、自立することができる一方で、いくつかのゲルマトリックスは柔軟性および最小限のシネレシスを有する。そこに閉じ込められている芳香剤の、ゲルの周囲への移送が改善され、且つ、それらはより滑らかで、あまり硬くなさそうな表面の外観、および中心から表面へのあまり顕著ではない傾きを伴う水の移動度の改善を示し、従って、空気清浄剤表面上のクラストの形成が低減する。
【００４５】
我々は、カラギナンゲル化成分と上記のアミノ酸ゲル化剤、およびポリオールを組み合わせることにより、ゲル系の寿命にわたって揮発性有効成分の効率的且つ最大限の蒸発を可能にするために充分に可塑化されたゲルを得ることが可能になり、空気清浄剤のより良好な性能がもたらされることを立証できた。
【００４６】
我々は、本発明のゲル系が有利にも、そこに保持される有効成分の非常に均質且つ延長された拡散をもたらすことを見出した。有用な寿命が典型的には２週間である既に公知のカラギナンゲルとは異なり、本発明のゲルは、４週間より長い期間の間、芳香剤の線形的な拡散を示す。
【００４７】
上記で予測されるとおり、本発明の組成物は、消費者物品中に含有またはそれと関連させることができ、この場合、ここで意図されている消費者物品としては、より特定には揮発性材料のディスペンサーである。従って、本発明のゲルを含有する揮発性材料のディスペンサーの形態での消費者物品も、本発明の対象である。
【００４８】
かかる揮発性材料のディスペンサーは、ゲルの調製物中で使用される有効な揮発分の性質に依存して、芳香または殺菌装置であってよい。前記揮発性材料のディスペンサーの限定されない例は、空気清浄剤、特に固体タイプのもの、おむつ用のゴミ箱の清浄剤、車用清浄剤、クローゼットの清浄剤、ワードローブの空気清浄剤、引き出しの清浄剤、動物用トイレの清浄剤、靴の清浄剤またはゴミ箱の清浄剤、殺虫剤または虫の忌避装置、または防虫剤である。
【００４９】
好ましい消費者物品は、ゲルタイプの空気清浄剤である。
【００５０】
実際には、容器と本発明の適切なゲルとが、前記消費者物品を構成する。該ゲルは、容器または梱包材料内に収容されていてよい。いくつかの実施態様において、容器表面の少なくとも一部は、揮発性有効成分の蒸気を、前記消費者物品を取り囲む空気中に放出させることができる。該容器は、この種の消費者物品のために有用な任意の材料から製造されていてよい。当然、前記材料は、本発明のゲルに対して化学的に不活性でなければならない。この種の物品のために使用される標準的な梱包材、例えばプラスチック−ポリプロピレン、ポリ塩化ビニル、高密度ポリエチレン、ＰＥＴ、およびガラスがよく適している。
【００５１】
貯蔵の間、蒸気が容器の外部に放出されることを可能にする容器の少なくとも一部は、揮発性有効成分、特に芳香剤を、貯蔵雰囲気中に拡散させないように封止される。その際、消費者は、単に封止を除去することによって、消費者物品、つまり空気清浄剤を活性化でき、その後、芳香剤が周囲空気中に拡散し始める。
【００５２】
本発明は、揮発性有効成分を周囲空気中に拡散する方法であって、本発明のゲル系を空気に曝露することを含む前記方法にも関する。本発明の好ましい実施態様において、ゲル系は、閉じられた空間、例えば部屋、食器棚、ワードローブ、引き出し、動物用のトイレまたはゴミ箱内の空気に曝露される。
【００５３】
本発明を、ここで、以下の実施例を用いてさらに詳細に説明し、その際、量は、ゲルの総質量に対する質量％で示され、且つ、温度は摂氏度で示される。
【００５４】
実施例１
本発明によるゲル系の調製
以下の成分を示された量で混合することによってゲルを調製した。
【００５５】
【表１】
2014525818.tif 000002
【００５６】
１）  ジブチルラウロイルグルタミド、製造元：味の素株式会社、東京、日本
２）  ジブチルエチルヘキサノイルグルタミド、製造元：味の素株式会社、東京、日本。
【００５７】
上記の表において挙げられたカラギナンゲルは、カラギナン粉末を水中で（２．０質量％のカラギナン粉末、水９７．８質量％、保存料０．２質量％）、７０℃でゆっくりと混合することによって予め調製された。その後、該溶液を約８０〜９５℃に加熱し、且つ、均質なゲルが得られるまで撹拌した。
【００５８】
ＧＰ−１およびＥＢ−２１を予め混合し、且つ、ポリエチレングリコール１０００を添加し、撹拌しながら約６５℃に加熱し、芳香剤をそこに添加した。最後に、カラギナンゲル、およびアミノ酸とポリエチレングリコールと芳香剤との混合物を、撹拌しながらゲル液が得られるまで混合し、該ゲル液をその後、適切な容器に注ぎ、そして室温へと冷却した。
【００５９】
実施例２
本発明によるゲル系の調製
以下の表における成分を示された割合で使用して、実施例１に記載された方法を繰り返した。
【００６０】
【表２】
2014525818.tif 000003
【００６１】
１）  ジブチルラウロイルグルタミド、製造元：味の素株式会社、東京、日本
２）  ジブチルエチルヘキサノイルグルタミド、製造元：味の素株式会社、東京、日本。
【００６２】
実施例３
本発明によるゲル系の調製
以下の表における成分を示された割合で使用して、実施例１に記載された方法を繰り返した。
【００６３】
【表３】
2014525818.tif 000004
【００６４】
１）  ジブチルラウロイルグルタミド、製造元：味の素株式会社、東京、日本。
【００６５】
実施例４
本発明によるゲル系の調製
以下の表における成分を示された割合で使用して、実施例１に記載された方法を繰り返した。
【００６６】
【表４】
2014525818.tif 000005
【００６７】
１）  ジブチルラウロイルグルタミド、製造元：味の素株式会社、東京、日本
２）  ジブチルエチルヘキサノイルグルタミド、製造元：味の素株式会社、東京、日本。
【００６８】
実施例５
本発明によるゲル系の調製
以下の表における成分を示された割合で使用して、実施例１に記載された方法を繰り返した。
【００６９】
【表５】
2014525818.tif 000006
【００７０】
１）  ジブチルラウロイルグルタミド、製造元：味の素株式会社、東京、日本
２）  ジブチルエチルヘキサノイルグルタミド、製造元：味の素株式会社、東京、日本。
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
揮発性有効成分を拡散するためのゲルであって、
ａ）  前記揮発性有効成分を含有するオイル
ｂ）  本質的に、カラギナンゲル化成分と、ジブチルラウロイルグルタミドおよび／またはジブチルエチルヘキサノイルグルタミドとからなるゲル化剤、および
ｃ）  ポリオール可塑剤
を含む、前記ゲル。
【請求項２】
請求項１に定義されたａ）〜ｃ）の成分からなる、請求項１に記載のゲル。
【請求項３】
ゲルの総質量に対してカラギナンを０．５〜２．５質量％の量で含むことを特徴とする、請求項１または２に記載のゲル。
【請求項４】
ジブチルラウロイルグルタミドとジブチルエチルヘキサノイルグルタミドとが、総計で、ゲルの総質量に対して０．００５〜１質量％の量で存在することを特徴とする、請求項１から３までのいずれか１項に記載のゲル。
【請求項５】
それぞれジブチルラウロイルグルタミドおよび／またはジブチルエチルヘキサノイルグルタミドが、ゲルの総質量に対して０．００２５〜０．２質量％の量で存在することを特徴とする、請求項１から４までのいずれか１項に記載のゲル。
【請求項６】
カラギナン材料がκカラギナン、ιカラギナンおよびそれらの混合物からなる群から選択されることを特徴とする、請求項１から５までのいずれか１項に記載のゲル。
【請求項７】
ポリオール可塑剤がポリエチレングリコールであることを特徴とする、請求項１から６までのいずれか１項に記載のゲル。
【請求項８】
可塑剤が、ポリエチレングリコール１０００であることを特徴とする、請求項７に記載のゲル。
【請求項９】
揮発性有効成分が、芳香剤または悪臭中和剤であることを特徴とする、請求項１から８までのいずれか１項に記載のゲル。
【請求項１０】
請求項１から９までのいずれか１項において定義されたゲルを含む空気清浄剤。
【請求項１１】
請求項１から９までのいずれか１項において定義されたゲルの製造方法であって、以下の段階：
ａ）  適切な量のカラギナン粉末を温度６０℃〜７０℃で、温水中で溶解し、且つ、カラギナンゲル化成分が形成されるまで撹拌することによってカラギナンゲル相を調製する段階、
ｂ）  ジブチルラウロイルグルタミドおよび／またはジブチルエチルヘキサノイルグルタミドを、温度６０℃〜７０℃で可塑剤と予め混合し、撹拌しながら均質な混合物を形成する段階、
ｃ）  前記カラギナンゲル化成分および段階ｂ）において得られた均質な混合物を、その後、６０℃を下回らない温度で混合して、ゲル液を形成し、それを室温または周囲温度に冷却して、固体のゲルを得る段階
を含む前記方法。
【請求項１２】
段階ｃ）を、温度６０〜８０℃で実施することを特徴とする、請求項１１に記載の方法。
【請求項１３】
さらに、段階ｃ）において調製されたゲル液を適した容器内に注ぎ、その後、冷却することを含む、請求項１１または１２に記載の方法。
【請求項１４】
揮発性有効成分を周囲空気中に拡散するための、請求項１から９までのいずれか１項に定義されたゲルの使用。
【請求項１５】
閉じられた空間内でゲルを空気に曝露することを特徴とする、請求項１４に記載の使用。
【国際調査報告】
2014525818.tif 000007
2014525818.tif 000008
2014525818.tif 000009